(57)【要約】【課題】携帯端末装置の表示部における表示仕様の設定を容易に行うことを可能にする。【解決手段】携帯電話１０は、文字および画像を表示する表示部１１、ユーザが操作を行う操作部１２、およびそれらを制御する制御部１８を備えている。制御部１８は、表示部１１に視力検査用の図形を表示すると共に、そのときの操作部１２からのキー入力信号をモニタすることによってユーザの視力検査を行い、当該ユーザの視力の程度を判定する。そして制御部１８は、その判定結果に基づいて表示部１１の表示仕様の設定を行う。【選択図】図１
2007165976.tif 000002
【特許請求の範囲】
【請求項１】
文字および画像を表示する表示部と、
ユーザが操作を行う操作部と、
外部との通信を行う通信部と、
前記表示部に視力検査用の図形を表示すると共にそのときの前記操作部からの入力をモニタすることでユーザの視力の程度を判定し、当該判定結果に基づいて前記表示部の表示仕様の設定を行う制御部とを備える
ことを特徴とする携帯端末装置。
【請求項２】
請求項１記載の携帯端末装置であって、
前記視力検査用の図形のデータは、
前記通信部によって外部のサーバーからダウンロードされる
ことを特徴とする携帯端末装置。
【請求項３】
請求項１または請求項２記載の携帯端末装置であって、
前記制御部にユーザの視力の程度を判定させるためのプログラムは、
前記通信部によって外部のサーバーからダウンロードされる
ことを特徴とする携帯端末装置。
【請求項４】
請求項１から請求項３のいずれか記載の携帯端末装置であって、
前記表示部の表示仕様のデータは、
前記通信部によって外部のサーバーからダウンロードされる
ことを特徴とする携帯端末装置。
【請求項５】
請求項１から請求項４のいずれか記載の携帯端末装置であって、
前記表示仕様は、
前記表示部に表示する文字のフォント、サイズおよび色の少なくとも１つを含む
ことを特徴とする携帯端末装置。
【請求項６】
請求項１から請求項５のいずれか記載の携帯端末装置であって、
前記表示仕様は、
前記表示部に表示するアイコンのサイズおよび色の少なくとも１つを含む
ことを特徴とする携帯端末装置。
【請求項７】
請求項１から請求項６のいずれか記載の携帯端末装置であって、
前記表示仕様は、
前記表示部の背景色を含む
ことを特徴とする携帯端末装置。
【請求項８】
請求項１から請求項７のいずれか記載の携帯端末装置であって、
前記表示部に表示する前記視力検査用の図形の色とその背景色の組み合わせは、
前記操作部の操作によって変更可能であり、
前記制御部は、
前記表示部の前記表示仕様の設定の際に、文字およびアイコンの色とその背景色の組み合わせを、前記視力検査用の図形の色とその背景色の組み合わせと同じに設定する
ことを特徴とする携帯端末装置。
【発明の詳細な説明】
【技術分野】
【０００１】
本発明は、携帯電話等の携帯端末装置に関するものであり、特に、表示画面における表示仕様の設定（画面設定）に関するものである。
【背景技術】
【０００２】
携帯電話やＰＤＡ（Personal Digital Assistant）などの携帯端末装置としては、画面に表示する文字やアイコン等の表示仕様（文字フォント、文字サイズ、文字色、背景色、アイコンのサイズおよび色など）を、ユーザの好みに応じて設定変更する画面設定機能を有しているものが多い。しかし従来の携帯端末装置では、画面設定を行うための操作は、例えば文字フォント、文字サイズ、文字色、背景色などの各メニューのそれぞれから、自分に適していると思われるものを個々に選択する必要があるなど、複雑な操作を伴っていた。そのため、高齢者をはじめとする携帯端末装置に不慣れなユーザにとっては、自分に適した画面設定を行うことが困難であった。
【０００３】
また従来の技術として、携帯端末装置の表示部を拡大するためのレンズを備えた拡大装置（特許文献１）、表示画面をスクリーンへ拡大投写する機能を備える携帯端末装置（特許文献２）などが知られている。また、表示された文字列の特定行のみに対して、文字の拡大や、文字色および背景色の変更を行う携帯端末装置も提案されている（特許文献３）。さらに、ネットワークを介して遠隔的にメガネの購入者に対する視力検査を行うシステムも提案されている（特許文献４）。
【０００４】
【特許文献１】特開２００１−１５４１２１号公報
【特許文献２】特開２００３−１０１９０９号公報
【特許文献３】特開２００３−１３２０４８号公報
【特許文献４】特開２００１−３５０９８２号公報
【発明の開示】
【発明が解決しようとする課題】
【０００５】
先に述べたように、従来の携帯端末装置では画面設定のための操作は複雑であっため、高齢者をはじめとする携帯端末装置に不慣れなユーザにとっては、自分に適した表示仕様に設定することは困難であった。
【０００６】
本発明は以上のような課題を解決するためになされたものであり、表示部における表示仕様の設定を容易に行うことが可能な携帯端末装置を提供することを目的とする。
【課題を解決するための手段】
【０００７】
本発明に係る携帯端末装置は、文字および画像を表示する表示部と、ユーザが操作を行う操作部と、外部との通信を行う通信部と、前記表示部に視力検査用の図形を表示すると共にそのときの前記操作部からの入力をモニタすることでユーザの視力の程度を判定し、当該判定結果に基づいて前記表示部の表示仕様の設定を行う制御部とを備えるものである。
【発明の効果】
【０００８】
本発明に係る携帯端末装置によれば、ユーザは、視力検査に対して応答するだけで、自分に適した画面設定を行うことができる。視力検査は例えば方向キーによる方向の入力などの簡単なキー操作で行うことができるため、ユーザは複雑なキー操作を行うことなく、画面設定を行うことができることになる。従って、高齢者をはじめとする携帯端末装置に不慣れなユーザであっても容易に画面設定を行うことができるので、携帯端末装置のユーザを問わないユニバーサルデザイン化に寄与できる。
【発明を実施するための最良の形態】
【０００９】
＜実施の形態１＞
図１は、本発明の実施の形態１に係る携帯端末装置である携帯電話の構成を示すブロック図である。図１においては、主に本発明に関連する構成要素を図示しており、携帯電話が通常備える他の構成要素は図示を省略している。
【００１０】
図１に示すように、実施の形態１に係る携帯電話１０は、表示部１１、操作部１２、音声処理部１３、スピーカ１４、マイクロフォン１５、アンテナ１６、通信部１７、制御部１８、メモリ１９を備えている。
【００１１】
表示部１１は、液晶パネル等の表示手段であり、制御部１８の制御に基づいて文字や図形などの画像を表示する。操作部１２は、「０」〜「９」のテンキー、「＊」キーおよび「＃」キーから成るダイヤルキーや、「上（↑）」キー、「下（↓）」キー、「左（←）」キー、「右（→）」キーから成る方向キー（矢印キー）など、一般的な携帯電話が備えている各種のキーを有しており、ユーザのキー操作に応じたキー入力信号を発生する。図１においては、説明の簡単のため表示部１１と操作部１２とを個別に図示しているが、表示部１１と操作部１２の機能を兼ね備えた、いわゆる「タッチパネル方式」が採用されたものであってもよい。
【００１２】
音声処理部１３は、通信部１７あるいは制御部１８から送られてくるディジタル音声データに対して、復号化処理およびＤ／Ａ変換処理を行い、スピーカ１４にて出力可能な音声信号を生成する。また、マイクロフォン１５から入力された音声信号に対して、Ａ／Ｄ変換処理および符号化処理を行い、通信部１７あるいは制御部１８にて処理可能なディジタル音声データに変換する動作も行う。
【００１３】
通信部１７は、アンテナ１６を介して外部との通信を行うものである。通信部１７が行う通信の動作としては、通話のための通信と、データパケットの送受信を行うためのデータ通信とが含まれる。携帯電話１０にて通話が行われるときは、通信部１７により受信されたデータは、音声処理部１３に送られて、復号化処理およびＤ／Ａ変換処理を経て音声信号に変換され、スピーカ１４から再生される。また、マイクロフォン１５から入力された音声は、音声処理部１３でＡ／Ｄ変換処理および符号化処理が施された後、通信部１７に送られ、アンテナ１６を介して送信される。一方、データ通信が行われるときには、通信部１７により受信されたデータは、制御部１８で所定の処理が施された後、例えば表示部１１に文字や画像として表示されたり、音声処理部１３を介してスピーカ１４から音声として出力されたり、あるいはメモリ１９に保存されたりする。
【００１４】
制御部１８は、メモリ１９に格納されているプログラムやデータに従って携帯電話１０の動作を制御するための各種の処理を行うものである。メモリ１９は、制御部１８が実行するプログラムやデータを記憶可能なものである。メモリ１９は、データの読み書きおよび消去を自由に行なうことができ電源を切っても記憶データを失わない不揮発性メモリと、データの読み書きおよび消去を自由に行なえるが電源を切ると記憶データが失われる揮発性メモリとから成っており、制御部１８の動作のためのワークエリアとしても使用される。
【００１５】
本実施の形態においては、メモリ１９に、従来の携帯電話が通常必要するプログラムおよびデータの他、ユーザに対して視力検査を行うためのプログラムやデータ、および画面設定のための表示仕様データ（文字フォント、文字サイズ、文字色、背景色、アイコンのサイズおよび色などのデータのセット）が格納されている。制御部１８は、視力検査用のプログラムを実行することによりユーザの視力検査を行い、その結果に基づいて表示部１１の画面設定を表示仕様データを用て自動に行うことができる。従って、ユーザは各表示仕様を設定するための複雑な操作を行うことなしに、自分に適した画面設定を行うことができるようになる。以下、この視力検査に基づく表示仕様の自動設定機能を「画面設定アシスト」と称する。
【００１６】
図２は、実施の形態１に係る携帯電話１０が行う画面設定アシストを説明するためのフローチャートである。同図を参照して、画面アシストに係る携帯電話１０の動作を以下に説明する。
【００１７】
携帯電話１０の電源が最初に起動されると、制御部１８は、表示部１１の画面に画面設定に関する初期メニューを表示する。初期メニューにおいては画面設定アシストを行うか否かを選択でき、使用者は操作部１２を操作して画面設定アシストの要否を選択する（Ｓ１）。なお、画面設定は一度行ってしまえば電源起動のたびに行う必要性は少ないため、次回からの電源起動時には上記初期メニューが表示されないようにしてもよい。
【００１８】
ユーザが画面設定アシストの実行を選択すると、制御部１８はメモリ１９から視力検査用データを読み出す（Ｓ２）。視力検査用データには、視力検査用プログラム（以下「検査用プログラム」）および視力検査用図形データ（以下「検査用図形データ」）が含まれる。そして制御部１８は、検査用プログラムを実行することにより、ユーザに対する視力検査を行う（Ｓ３）。
【００１９】
ここで、携帯電話１０が行う視力検査の具体例を説明する。視力検査の指標となる視力検査用図形（以下「検査用図形」）としては、例えば「ランドルト環」と呼ばれる輪の一箇所に切れ目のある円が挙げられる。携帯電話１０による視力検査がそれを指標にするものである場合、メモリ１９に格納される検査用図形データはランドルト環の図形データである。その場合、制御部１８は、表示部１１に図３（ａ），（ｂ）の如くランドルト環を大きさおよび向きを変えながら順次表示し、ユーザはその切れ目がある方向を操作部１２の方向キーで入力する。このとき、ユーザは通常使用時と同様の位置に携帯電話１０を構えるようにすると、適切な視力検査が可能になり望ましい。制御部１８は、表示部１１にランドルト環を表示しつつ、そのときの操作部１２からのキー入力信号をモニタする。そして、ユーザがどの程度の小ささのランドルト環まで視認可能であるのかを判定することで、ユーザの視力の程度を判定する。
【００２０】
視力検査が完了すると、制御部１８は、視力検査の結果に対応した表示仕様データをメモリ１９から読み出す（Ｓ４）。表示仕様データは、文字フォント、文字サイズ、文字色、背景色、アイコンのサイズおよび色などの画面設定に関するデータのセットであり、予め視力検査の結果に関連付けされてメモリ１９に格納されている。制御部１８は、視力検査の結果に対応した表示仕様データ用いて画面設定を行い（Ｓ５）、その後、待ち受け画面表示に移行する（Ｓ６）。
【００２１】
図４は、本実施の形態おける表示仕様データ用いた画面設定の例を示す図である。視力検査の結果、ユーザの視力が高くないと判断された場合は、例えば図４（ａ）のように、比較的大きな文字サイズおよびアイコンサイズ、またゴシック体のような線の太い文字フォントに設定される。つまり視認性の高い画面設定が行われる。
【００２２】
逆にユーザの視力が高いと判断された場合は、例えば図４（ｂ）のように、比較的小さな文字サイズおよびアイコンサイズに設定され、また小さい文字サイズでは線の太い文字フォントは文字つぶれが生じやすいため、明朝体のような線の細いフォントに設定される。この場合、より多くの情報を一画面内に表示することができるようになる。
【００２３】
また、文字色およびその背景色は、それぞれ視力検査の際の検査用図形の色およびその背景色と同じに設定されることが望ましい。アイコンの色とその背景色も同様に、それぞれ視力検査の際の検査用図形の色およびその背景色と同じに設定されることが望ましい。画面の見易さは文字やアイコンの色とそれらの背景色との組み合わせ（カラーテーマ）によっても変わるため、そうすることにより視力検査の結果が画面設定に適切に反映されるからである。
【００２４】
以上のように本実施の形態によれば、ユーザは、携帯電話１０による視力検査に対して応答するだけで、自分に適した画面設定を行うことができる。視力検査は例えば方向キーによる方向の入力などの簡単なキー操作で行うことができるため、ユーザは複雑なキー操作を行うことなく、画面設定を行うことができることになる。従って、高齢者をはじめとする携帯端末装置に不慣れなユーザであっても容易に画面設定を行うことができるので、携帯端末装置のユーザを問わないユニバーサルデザイン化に寄与できる。
【００２５】
また本発明における視力検査用の図形としては、ランドルト環のような幾何学的な図形に限られず、例えば数字などの文字図形を用いてもよい。例えば、表示部１１に大きさを変えながら０〜９の数字の文字図形を表示させ、ユーザが表示部１１に表示された数字をテンキーを用いて入力すれば、制御部１８がその入力をモニタすることでユーザがどの程度まで小さい文字図形を視認可能であるのかを判定でき、ユーザの視力の程度を判定できる。特に携帯電話の場合には、表示させる文字図形が、０〜９の一桁の数字、並びに「＊」および「＃」の記号であれば、ダイヤルキーを一度押すだけで入力可能であるので、方向キーを用いたランドルト環による視力検査と同様に、容易な操作で実行可能である。
【００２６】
さらに、視力検査としてはランドルト環による検査のように「どこまで小さい物が見えるか」という検査に限らず、例えば乱視の程度を検査するものを含んでいてもよい。乱視の検査を行う場合には、検査用図形としては図５のような放射状のラインパターンを使用することができる。放射状のラインが全て同じ太さ、濃さ、間隔で見えれば乱視は無く、特定のラインが異なって見えるようであれば乱視と判定される。その場合、携帯電話１０が行う視力検査（図２のフローチャートにおけるステップＳ３）において、ユーザが、表示部１１に表示される放射状のラインが全て同じに見えるか否かを操作部１２に入力すれば、制御部１８はユーザの乱視の有無を判定できる。制御部１８は、ユーザが乱視であると判定した場合には、画面設定の処理（ステップＳ４，Ｓ５）の際に、輪郭線が強調された文字フォントを設定するなどして画面の視認性を向上させる。
【００２７】
また、本実施の形態では、画面設定アシストを行うタイミングを電源起動時としたが、ユーザの操作によって任意のタイミングで行うようにしてもよい。但し、携帯端末装置に不慣れなユーザが対象である場合には特に、携帯電話１０の使用が開始された初期の段階で、自動的に実行されることが望ましい。
【００２８】
なお、本実施の形態では携帯電話の例を示したが、本発明の適用はそれに限定されるものではなく、ＰＤＡなど他の種類の携帯端末装置に対しても適用可能である。
【００２９】
＜実施の形態２＞
図６は、実施の形態２に係る携帯電話１０の画面設定アシストを説明するためのフローチャートである。図６において、図２に示したものと同様の動作を行うステップには、それと同一符号を付してあるので、それらの各ステップについてのここでの説明は省略する。
【００３０】
図６に示すように、実施の形態２の画面設定アシストのフローは、実施の形態１のそれとほぼ同じであるが、視力検査のステップＳ３よりも前に、ユーザが当該視力検査時の画面の色調を設定するステップＳ１１が実行される。当該ステップでは、ユーザは操作部１２を操作することによって、視力検査時に表示部１１に表示する検査用図形の色およびその背景色を変更することができる。
【００３１】
以下、図６を参照し、実施の形態２に係る携帯電話１０が行う画面設定アシストを説明する。携帯電話１０の電源が最初に起動されると、制御部１８は、表示部１１の画面に、画面設定に関する初期メニューを表示する（Ｓ１）。初期メニューにおいてユーザが画面設定アシストの実行を選択すると、ユーザが画面の色調を設定するステップＳ１１が実行される。ユーザは操作部１２を操作することによって、視力検査時に表示部１１に表示する検査用図形の色とその背景色との組み合わせを選択する。ここで、使用者が検査用図形の色を白、背景色を黒と設定したものと仮定する。
【００３２】
その後、制御部１８はメモリ１９から視力検査用データを読み出し（Ｓ２）、検査用プログラムを実行することにより、ユーザに対する視力検査を行う（Ｓ３）。この例では、視力検査では表示部１１に図７の如く検査用図形の色が白、背景色が黒に表示される。
【００３３】
視力検査が完了すると、制御部１８は、視力検査の結果に対応した表示仕様データをメモリ１９から読み出し（Ｓ４）、それを用いて画面設定を行い（Ｓ５）、その後、待ち受け画面表示に移行する（Ｓ６）。
【００３４】
本実施の形態においても、実施の形態１と同様にユーザの視力が高くないと判断された場合は、大きな文字サイズおよびアイコンのサイズ、線の太い文字フォントなどが設定されて視認性の高い画面設定が行われる。逆に、ユーザの視力が高いと判断された場合は、比較的小さな文字サイズおよびアイコンのサイズに設定され、より多くの情報を一画面内に表示することができるようになる。
【００３５】
さらに本実施の形態では、画面設定における文字色、アイコンの色およびそれらの背景色は、ステップＳ１１でユーザが設定したそれぞれ視力検査の際の検査用図形の色およびその背景色と同じに設定される。この例では、図７の如く検査用図形の色が白、背景色が黒に表示されての視力検査が行われているので、図８に示すように文字およびアイコンの色は白に、それらの背景色は黒に設定される。画面の見易さは文字やアイコン色と背景色との組み合わせ（カラーテーマ）によっても変わるため、本実施の形態のように視力検査における色調を変更でき、その後の画面設定で設定されるカラーテーマをそれと同じにすることにより、視力検査の結果が適切に反映され、且つ、ユーザの好みに応じたカラーテーマに設定された画面設定が可能になる。
【００３６】
＜実施の形態３＞
図９は、本発明の実施の形態３に係る携帯電話の画面設定システムを示すブロック図である。同図においては、図１と同様の機能を有する要素には同一符号を付してある。
【００３７】
図９に示すように当該システムは、携帯電話１０と、ネットワーク２０を介して携帯電話１０に各種のデータを提供する視力検査ホスト３０とから構成される。携帯電話１０の構成は図１と同様であるので、ここでの説明は書略する。視力検査ホスト３０は、ネットワーク２０とのインターフェイスとして機能するＷＷＷ（World Wide Web）サーバ３１を備えると共に、視力検査用データ（検査用プログラム３２、検査用図形データ３３）を格納している。ＷＷＷサーバ３１は、携帯電話１０からの要求に応じて検査用プログラム３２および検査用図形データ３３を送出することができる。実施の形態１では視力検査用データが携帯電話１０内のメモリ１９に格納されていたが、実施の形態３においては、当該データが視力検査ホスト３０から提供される。
【００３８】
図１０は、実施の形態３に係る携帯電話１０の画面設定アシストを説明するためのフローチャートである。図１０において、図２に示したものと同様の動作を行うステップには、それと同一符号を付してあるので、それらの各ステップについてのここでの説明は省略する。
【００３９】
図１０に示すように、実施の形態３の画面設定アシストのフローは、実施の形態１のそれとほぼ同じであるが、図２における検査用データを読み出すステップＳ２に代えて、検査用データを視力検査ホスト３０からダウンロードするステップＳ２ａが実行される。
【００４０】
以下、図１０を参照し、実施の形態３に係る携帯電話１０が行う画面設定アシストを説明する。携帯電話１０の電源が最初に起動されると、制御部１８は、表示部１１の画面に、画面設定に関する初期メニューを表示する（Ｓ１）。
【００４１】
初期メニューにおいてユーザが画面設定アシストの実行を選択すると、制御部１８は、通信部１７およびアンテナ１６を用いて、ネットワーク２０を介して視力検査ホスト３０にアクセスする。そしてＷＷＷサーバ３１に対し、検査用プログラム３２および検査用図形データ３３の送信を要求する。ＷＷＷサーバ３１はその要求に応じて検査用プログラム３２および検査用図形データ３３を携帯電話１０に送信する。携帯電話１０は、ＷＷＷサーバ３１が送信する検査用プログラム３２および検査用図形データ３３を、ネットワーク２０を介してダウンロードしてメモリ１９内に保持する（Ｓ２ａ）。そして、ダウンロードした検査用プログラム３２を実行することにより、ダウンロードした検査用図形データ３３を用いた視力検査をユーザに対して行う（Ｓ３）。
【００４２】
視力検査が完了するとその後は実施の形態１と同様に、制御部１８が視力検査の結果に対応した表示仕様データをメモリ１９から読み出し（Ｓ４）、それを用いて画面設定を行い（Ｓ５）、待ち受け画面表示に移行する（Ｓ６）。
【００４３】
本実施の形態においても実施の形態１と同様に、ユーザは携帯電話１０による視力検査を行うだけで自分に適した画面設定を行うことができるため、複雑なキー操作を行うことなく画面設定を行うことができる。従って、高齢者をはじめとする携帯端末装置に不慣れなユーザであっても容易に画面設定を行うことができるので、携帯端末装置のユーザを問わないユニバーサルデザイン化に寄与できる。
【００４４】
また本実施の形態では、携帯電話１０は検査用プログラム３２および検査用図形データ３３を視力検査ホスト３０からダウンロードして使用するため、実施の形態１に比較してメモリ１９に予め格納しておくべきデータの量が少なくてよく、携帯電話１０の小型化に寄与できる。
【００４５】
なお、以上の説明においては、視力検査ホスト３０に格納されている検査用プログラム３２は、それをダウンロードした携帯電話１０によって実行されるものとして説明したが、ＷＷＷサーバ３１が実行する態様であってもよい。つまりＷＷＷサーバ３１が、例えばＣＧＩ（Common Gateway Interface）機能やＡＳＰ（Active Server Pages）機能を搭載することにより、携帯電話１０からの命令に応じて検査用プログラム３２を実行して、その結果として動的に生成された２次的なプログラム（制御部１８の動作を規定することが可能なデータなど、プログラムに準ずるものを含む）を携帯電話１０がダウンロードする態様であってもよい。あるいは、制御部１８がメモリ１９に格納された通信プログラム（例えばブラウザプログラムやＪＡＶＡ（登録商標）アプリケーション）を実行することにより、検査用プログラム３２をＷＷＷサーバ３１上で実行する態様であってもよい。即ち、ユーザは視力検査を携帯電話１０を用いて行うが、その実質的な処理はＷＷＷサーバ３１上で行われているような態様であってもよい。
【００４６】
また本実施の形態に、実施の形態２を適用してもよい。即ち、図１０のフローにおいて、視力検査のステップＳ３よりも前に、ユーザが当該視力検査時の画面の色調を設定するステップ（Ｓ１１）が実行されるようにしてもよい。そして、その後の画面設定（Ｓ５）で設定されるカラーテーマをそれと同じにすることにより、視力検査の結果が適切に反映され、且つ、ユーザの好みに応じたカラーテーマに設定された画面設定が可能になる。
【００４７】
＜実施の形態４＞
図１１は、本発明の実施の形態４に係る携帯電話の画面設定システムを示すブロック図である。同図においては、図９と同様の機能を有する要素には同一符号を付してある。
【００４８】
図１１に示すように当該システムは、図９に示したシステムとほぼ同様であるが、視力検査ホスト３０は、視力検査用データ（検査用プログラム３２、検査用図形データ３３）の他に、表示仕様データ３４を格納している。視力検査ホスト３０が備えるＷＷＷサーバ３１は、携帯電話１０からの要求に応じて、検査用プログラム３２、検査用図形データ３３および表示仕様データ３４を送出することができる。
【００４９】
図１２は、実施の形態４に係る携帯電話１０の画面設定アシストを説明するためのフローチャートである。図１２において、図１０に示したものと同様の動作を行うステップには、それと同一符号を付してあるので、それらの各ステップについてのここでの説明は省略する。
【００５０】
図１２に示すように、実施の形態４の画面設定アシストのフローは、実施の形態３のそれとほぼ同じであるが、図１０における表示仕様データを読み出すステップＳ４に代えて、表示仕様データ３４を視力検査ホスト３０からダウンロードするステップＳ４ａが実行される。
【００５１】
以下、図１２を参照し、実施の形態４に係る携帯電話１０が行う画面設定アシストを説明する。携帯電話１０の電源が最初に起動されると、制御部１８は、表示部１１の画面に、画面設定に関する初期メニューを表示する（Ｓ１）。
【００５２】
初期メニューにおいてユーザが画面設定アシストの実行を選択すると、制御部１８は、通信部１７およびアンテナ１６を用いて、ネットワーク２０を介して視力検査ホスト３０にアクセスする。そしてＷＷＷサーバ３１に対し、検査用プログラム３２および検査用図形データ３３の送信を要求する。ＷＷＷサーバ３１はその要求に応じて検査用プログラム３２および検査用図形データ３３を携帯電話１０に送信する。
【００５３】
携帯電話１０は、ＷＷＷサーバ３１が送信する検査用プログラム３２および検査用図形データ３３を、ネットワーク２０を介してダウンロードしてメモリ１９内に保持する（Ｓ２ａ）。そしてダウンロードした検査用プログラム３２を実行することにより、ダウンロードした検査用図形データ３３を用いた視力検査をユーザに対して行う（Ｓ３）。
【００５４】
視力検査が完了すると、制御部１８は再び、通信部１７およびアンテナ１６を用いて、ネットワーク２０を介して視力検査ホスト３０にアクセスする。そしてＷＷＷサーバ３１に対し、表示仕様データ３４のうち当該視力検査の結果に応じたものの送信を要求する。ＷＷＷサーバ３１はその要求に応じて表示仕様データ３４を携帯電話１０に送信する。
【００５５】
携帯電話１０は、ＷＷＷサーバ３１が送信する表示仕様データ３４を、ネットワーク２０を介してダウンロードしてメモリ１９内に保持する（Ｓ４ａ）。そして、ダウンロードした表示仕様データ３４を用いて画面設定を行い（Ｓ５）、待ち受け画面表示に移行する（Ｓ６）。
【００５６】
本実施の形態においても実施の形態１と同様に、ユーザは、携帯電話１０による視力検査を行うだけで自分に適した画面設定を行うことができるため、複雑なキー操作を行うことなく画面設定を行うことができる。従って、高齢者をはじめとする携帯端末装置に不慣れなユーザであっても容易に画面設定を行うことができるので、携帯端末装置のユーザを問わないユニバーサルデザイン化に寄与できる。
【００５７】
また本実施の形態では、携帯電話１０は表示仕様データ３４を視力検査ホスト３０からダウンロードして使用するため、実施の形態１に比較してメモリ１９に予め格納しておくべきデータの量が少なくてよく、携帯電話１０の小型化に寄与できる。視力検査ホスト３０が表示仕様データ３４を大量に格納しておけば、メモリ１９の大容量化を図ることなく、携帯電話１０の画面設定のバリエーションを広げることが可能になる。
【００５８】
なお本実施の形態においても、検査用プログラム３２は、それをダウンロードした携帯電話１０によって実行されるものとして説明したが、ＷＷＷサーバ３１が実行する態様であってもよい。
【００５９】
また本実施の形態に、実施の形態２を適用してもよい。即ち、図１０のフローにおいて、視力検査のステップＳ３よりも前に、ユーザが当該視力検査時の画面の色調を設定するステップ（Ｓ１１）が実行されるようにしてもよい。そして、その後の画面設定（Ｓ５）で設定されるカラーテーマをそれと同じにすることにより、視力検査の結果が適切に反映され、且つ、ユーザの好みに応じたカラーテーマに設定された画面設定が可能になる。
【図面の簡単な説明】
【００６０】
【図１】実施の形態１に係る携帯電話の構成を示すブロック図である。
【図２】実施の形態１に係る携帯電話の画面設定アシストのフローチャートである。
【図３】本発明の画面設定アシストにおける視力検査用図形の表示例を示す図である。
【図４】実施の形態１の画面設定アシスト実行後の画面設定の例を示す図である
【図５】本発明の画面設定アシストにおける視力検査用図形の表示例を示す図である。
【図６】実施の形態２に係る携帯電話の画面設定アシストのフローチャートである。
【図７】実施の形態２の画面設定アシストにおける視力検査用図形の表示例を示す図である。
【図８】実施の形態２の画面設定アシストにおける視力検査用図形の表示例を示す図である。
【図９】実施の形態３に係る携帯電話の画面設定システムの構成を示すブロック図である。
【図１０】実施の形態３に係る携帯電話の画面設定アシストのフローチャートである。
【図１１】実施の形態４に係る携帯電話の画面設定システムの構成を示すブロック図である。
【図１２】実施の形態４に係る携帯電話の画面設定アシストのフローチャートである。
【符号の説明】
【００６１】
１０  携帯電話、１１  表示部、１２  操作部、１３  音声処理部、１４  スピーカ、１５  マイクロフォン、１６  アンテナ、１７  通信部、１８  制御部、１９  メモリ、２０  ネットワーク、３０  視力検査ホスト、３１  ＷＷＷサーバ、３２  検査用プログラム、３３  検査用図形データ、３４  表示仕様データ。
【図１】
2007165976.tif 000003
【図２】
2007165976.tif 000004
【図３】
2007165976.tif 000005
【図４】
2007165976.tif 000006
【図５】
2007165976.tif 000007
【図６】
2007165976.tif 000008
【図７】
2007165976.tif 000009
【図８】
2007165976.tif 000010
【図９】
2007165976.tif 000011
【図１０】
2007165976.tif 000012
【図１１】
2007165976.tif 000013
【図１２】
2007165976.tif 000014